(57)【要約】【課題】車両電源を適切に制御すること。【解決手段】車両用電源制御装置１０は、車両機器１に対して電力を供給する車両電源２と、ユーザが降車したか否かを判断する降車判断手段３ａと、降車判断手段３ａによる降車の判断に基づいて、車両電源２の供給を制御する電源制御手段３ｂと、降車判断手段３ａによりユーザが降車したと判断されたとき、ユーザが車両へ戻るか否かを推定する戻り推定手段３ｃと、を備えている。戻り推定手段３ｃにより、ユーザが車両へ戻らないと推定されたとき、電源制御手段３ｂは車両電源２の供給が停止するように制御する。【選択図】図１
2008018791.tif 000002
【特許請求の範囲】
【請求項１】
車両機器に対して電力を供給する車両電源と、
ユーザが降車したか否かを判断する降車判断手段と、
前記降車判断手段による前記降車の判断に基づいて、前記車両電源の供給を制御する電源制御手段と、を備える車両用電源制御装置であって、
前記降車判断手段によりユーザが降車したと判断されたとき、ユーザが車両へ戻るか否かを推定する戻り推定手段を備え、
前記戻り推定手段により、ユーザが車両へ戻らないと推定されたとき、前記電源制御手段は前記車両電源の供給が停止するように制御することを特徴とする車両用電源制御装置。
【請求項２】
請求項１記載の車両用電源制御装置であって、
車両の停車位置を検出する停車位置検出手段を更に備え、
前記戻り推定手段は、前記停車位置検出手段により検出された前記車両の停車位置が所定領域内にあるとき、ユーザが車両に戻らないと推定する、ことを特徴とする車両用電源制御装置。
【請求項３】
請求項１又は２記載の車両用電源制御装置であって、
前記車両電源の蓄電量を検出する蓄電量検出手段を更に備え、
前記電源制御手段は、前記降車判断手段によりユーザが降車したと判断された後、所定時間経過すると、前記車両電源の供給が停止するように制御すると共に、
前記蓄電量検出手段により検出された前記車両電源の蓄電量に基づいて、前記所定時間を可変させる、ことを特徴とする車両用電源制御装置。
【請求項４】
請求項３記載の車両用電源制御装置であって、
前記電源制御手段は、前記蓄電量検出手段により検出された前記車両電源の蓄電量が増加するに従って、前記所定時間を増加させる、ことを特徴とする車両用電源制御装置。
【発明の詳細な説明】
【技術分野】
【０００１】
本発明は、例えば、ユーザが車両から降車したときに、車両の電源状態を制御する車両用電源制御装置に関する。
【背景技術】
【０００２】
従来、ユーザが電源をオフ状態にすることを忘れて降車した場合に、車両のバッテリが上がってしまう虞がある。
【０００３】
上記問題を解決すべく、携帯型記憶担体を所持した運転者がメインスイッチをオフ位置に操作することなく降車した場合に、所定時間経過すると、メインスイッチを自動的にオフ位置に移動させる車両用制御装置が知られている（例えば、特許文献１参照）。
【特許文献１】特開平１０−２９７４３２号公報
【発明の開示】
【発明が解決しようとする課題】
【０００４】
しかしながら、上記従来の車両用制御装置において、一定時間経過したときでも、運転者には車両へ戻ろうとする意思がある場合がある。この場合、運転者の意思かかわらず、メインスイッチが自動的にオフ位置に移動され車両電源がオフ状態となる。この為、戻った運転者は、メインスイッチをオン位置に再度移動させ、車両電源をオン状態にする必要が生じ、利便性に欠ける虞がある。
【０００５】
本発明はこのような課題を解決するためのものであり、車両電源を適切に制御することを主たる目的とする。
【課題を解決するための手段】
【０００６】
上記目的を達成するための本発明の一態様は、
車両機器に対して電力を供給する車両電源と、
ユーザが降車したか否かを判断する降車判断手段と、
前記降車判断手段による前記降車の判断に基づいて、前記車両電源の供給を制御する電源制御手段と、を備える車両用電源制御装置であって、
前記降車判断手段によりユーザが降車したと判断されたとき、ユーザが車両へ戻るか否かを推定する戻り推定手段を備え、
前記戻り推定手段により、ユーザが車両へ戻らないと推定されたとき、前記電源制御手段は前記車両電源の供給が停止するように制御することを特徴とする車両用電源制御装置である。
【０００７】
なお、この一態様において、前記戻り推定手段により、ユーザが車両へ戻ると推定されたとき、前記電源制御手段は前記車両電源の供給（例えば、ＡＣＣ状態又はＩＧ状態）が維持されるように制御してもよい。
【０００８】
この一態様によれば、車両電源を適切に制御することができる。
【０００９】
この一態様において、車両の停車位置を検出する停車位置検出手段を更に備え、
前記戻り推定手段は、前記停車位置検出手段により検出された前記車両の停車位置が所定領域内にあるとき、ユーザが車両に戻らないと推定してもよい。
【００１０】
この一態様において、前記車両電源の蓄電量を検出する蓄電量検出手段を更に備え、
前記電源制御手段は、前記降車判断手段によりユーザが降車したと判断された後、所定時間経過すると、前記車両電源の供給が停止するように制御すると共に、
前記蓄電量検出手段により検出された前記車両電源の蓄電量に基づいて、前記所定時間を可変させてもよい。これにより、車両電源の蓄電量に応じて、適切な所定時間を設定することができる。
【００１１】
この一態様において、前記電源制御手段は、前記蓄電量検出手段により検出された前記車両電源の蓄電量が増加するに従って、前記所定時間を増加させてもよい。
【発明の効果】
【００１２】
本発明によれば、車両電源を適切に制御することができる。
【発明を実施するための最良の形態】
【００１３】
以下、本発明を実施するための最良の形態について、添付図面を参照しながら一実施例を挙げて説明する。
【００１４】
図１は、本発明の一実施例に係る車両用電源制御装置のシステム構成の一例を示すブロック図である。
【００１５】
本実施例に係る車両用電源制御装置１０は、車両に搭載され、車両機器１に電力を供給する車両電源２と、車両電源２による電力供給を制御する電源ＥＣＵ３と、を備えている。
【００１６】
車両電源２は、エンジンにより駆動される発電機により発電される電力を蓄電し、蓄電した電力を車両機器１に供給するバッテリ（例えば、１２Ｖ、２４Ｖ、３６Ｖ等の鉛電池）が用いられている。ここで、車両機器１には、例えば、エアコン装置、オーディオ装置、車両制御装置等の車両に搭載される任意の機器を含む。
【００１７】
電源ＥＣＵ（Ｅｌｅｃｔｒｏｎｉｃ  Ｃｏｎｔｒｏｌ  Ｕｎｉｔ、電子制御装置）３は、マイクロコンピュータから構成されており、制御、演算プログラムに従って各種処理を実行するとともに、当該装置１０の各部を制御するＣＰＵ（Ｃｅｎｔｒａｌ  Ｐｒｏｃｅｓｓｉｎｇ  Ｕｎｉｔ）、ＣＰＵの実行プログラムを格納するＲＯＭ（Ｒｅａｄ  Ｏｎｌｙ  Ｍｅｍｏｒｙ）、演算結果等を格納する読書き可能なＲＡＭ（Ｒａｎｄｏｍ  Ａｃｃｅｓｓ  Ｍｅｍｏｒｙ）、タイマ、カウンタ、入力インターフェイス、及び出力インターフェイス等を有している。
【００１８】
電源ＥＣＵ３は、ユーザが降車したか否かを判断する降車判断部（降車判断手段）３ａと、車両電源２による車両機器１へ電力の供給を、駆動回路５を介して制御する電源制御部（電源制御手段）３ｂと、ユーザが車両に戻るか否かを推定する戻り推定部（戻り推定手段）３ｃと、を有している。なお、降車判断部３ａ、電源制御部３ｂ、及び、戻り推定部３ｃは、例えば、上記ＲＯＭに記憶され、上記ＣＰＵによって実行されるプログラムによって実現されている。
【００１９】
降車判断部３ａは、車室内にいる全てのユーザが降車したか否かを判断する。降車判断部３ａは、例えば、車両の各座席に配設され、ユーザが各座席に着座していることを検出する着座センサ６からの信号に基づいて、ユーザが降車したか否かを判断する。
【００２０】
なお、着座センサ６として、各座席に掛かる荷重を検出する荷重センサを用いてもよく、また、各座席に掛かる荷重により、オン状態に切り替わるシートスイッチを用いてもよい。
降車判断部３ａは、例えば、各座席の着座センサ６により荷重が検出されないとき、車室内のユーザが降車したと判断する。
【００２１】
電源制御部３ｂは、車両電源２による車両機器１へ電力の供給を、駆動回路５を介して制御する。例えば、車両機器１は、駆動回路５を介して、車両電源２に接続されている。駆動回路５は、オン状態又はオフ状態に切替え可能な複数のリレー部を有している。
【００２２】
駆動回路５には、電源制御部３ｂが接続されている。電源制御部３ｂは、駆動回路５に対して制御信号を送信することで、駆動回路５のリレー部の切替を制御し、車両電源２から車両機器１への電力供給を制御する。
【００２３】
電源制御部３ｂには、ユーザが操作可能なプッシュ式スイッチ７が接続されている。電源制御部３ｂは、例えば、このプッシュ式スイッチ７からの信号に基づいて、車両電源２からの車両機器１への電力供給を制御する。
【００２４】
より具体的には、ユーザによりプッシュ式スイッチ７が押下操作されると、プッシュ式スイッチ７は、当該押下操作に応じて、電源制御部３ｂに対し指示信号を出力する。電源制御部３ｂは、プッシュ式スイッチ７からの指示信号に基づいて、車両電源２から車両機器１への電力供給状態が、例えば、電源オフ状態、ＡＣＣ（アクセサリ）状態、ＩＧ（イグニッション）状態に変遷するように、駆動回路５のリレー部を制御する。
【００２５】
ここで、電源オフ状態とは、車両電源２から車両機器１への電力供給が停止する状態である。ＡＣＣ状態とは、車両電源２から所謂ＡＣＣ機器（エアコン装置、オーディオ装置等）のみに対して電力供給が行われる状態である。ＩＧ状態とは、車両電源２から上記ＡＣＣ機器、車両制御装置を含めた車両機器１に対して電力供給が行われる状態である。
【００２６】
戻り推定部３ｃは、降車判断部３ａによりユーザが降車したと判断されたとき、ユーザが車両に戻るか否かを推定する。ここで、ユーザが車両に戻るか否かとは、例えば、ユーザが、降車後短時間（１〜１５分以内程度）で車両へ戻る意思があるか否かという意味を含む。
【００２７】
戻り推定部３ｃには、車両の現在位置を検出するＧＰＳ（Ｇｌｏｂａｌ  Ｐｏｓｉｔｉｏｎｉｎｇ  Ｓｙｓｔｅｍ）受信部８ａを有するナビゲーション装置（停車位置検出手段）８が接続されている。
【００２８】
戻り推定部３ｃは、例えば、ナビゲーション装置８のＧＰＳ受信部８ａにより検出された車両の現在位置が所定領域内（自宅駐車場、空港駐車場、アミューズメント施設の駐車場、宿泊施設の駐車場等）にあると判断したとき、ユーザには車両へ戻る意思が無いとして、ユーザが車両に戻らないと推定してもよい。
【００２９】
なお、車両が、例えば、上記自宅駐車場、空港駐車場、アミューズメント施設の駐車場、宿泊施設の駐車場等の所定領域内に停車され、ユーザが降車した場合、ユーザは、降車後長時間（例えば、１時間以上）、車両へ戻らない可能性が高い為、上述の推定が可能となる。また、ＧＰＳ受信部８ａは、ナビゲーション装置８に内蔵される構成であるが、ＧＰＳ受信装置のみの構成であってもよい。
【００３０】
ところで、従来、電源制御部は、降車判断部によりユーザの降車が判断されたとき、一定時間を経過すると、車両電源の省電力の為に、自動的に電源供給状態を、電源オフ状態に制御している。しかしながら、一定時間経過後であっても、ユーザには、車両へ戻る意思があり、降車後、車両に再度戻ることがある。この場合、ユーザは再度、電源供給状態を電源オフ状態から、ＡＣＣ状態又はＩＧ状態に切り替える操作が必要となる為、ユーザの利便性に欠ける虞がある。
【００３１】
そこで、本実施例に係る車両電源制御装置１０において、電源ＥＣＵ３の戻り推定部３ｃにより、ユーザが車両へ戻らないと推定されたとき、電源制御部３ｂは電源供給状態を電源オフ状態に制御する。これにより、車両電源２の省電力化を図ることができる。一方で、戻り推定部３ｃにより、ユーザが車両へ戻ると推定されたとき、電源制御部３ｂは電源供給状態をＡＣＣ状態又はＩＧ状態に維持する。これにより、車両に戻ったユーザは再度、電源供給状態を電源オフ状態から、ＡＣＣ状態又はＩＧ状態に切り替える操作が必要ない。
【００３２】
図２は、本実施例に係る車両電源制御装置１０の制御処理フローの一例を示すフローチャートである。なお、図２に示す制御処理は、所定の微少時間毎に繰り返し実行される。
【００３３】
電源ＥＣＵ３の降車判断部３ａは、車室内の各座席の着座センサ６により検出される荷重に基づいて、車室内の全てのユーザが降車したか否かを判断する（Ｓ１００）。
【００３４】
降車判断部３ａにより、ユーザが降車したと判断されたとき（Ｓ１００のＹｅｓ）、戻り推定部３ｃはユーザが車両に戻るか否かを推定する（Ｓ１１０）。一方、降車判断部３ａにより、ユーザが降車していないと判断されたとき（Ｓ１００のＮｏ）、本制御処理ルーチンを終了する。
【００３５】
戻り推定部３ｃにより、ユーザが車両に戻ると推定されたとき（Ｓ１１０のＹｅｓ）、電源制御部３ｂは、車両電源２の電源供給状態をＡＣＣ状態又はＩＧ状態に維持するように、駆動回路５を制御する（Ｓ１２０）。
【００３６】
一方、戻り推定部３ｃにより、ユーザが車両に戻らないと推定されたとき（Ｓ１１０のＮｏ）、電源制御部３ｂは、車両電源２の電源供給状態をＡＣＣ状態又はＩＧ状態から電源オフ状態となるように、駆動回路５を制御する（Ｓ１３０）。
【００３７】
本実施例に係る車両用電源制御装置１０において、電源ＥＣＵ３の戻り推定部３ｃにより、ユーザが車両へ戻らないと推定されたとき、電源制御部３ｂは電源供給状態を電源オフ状態に制御する。これにより、ユーザが車両に戻らないと推定した上で、車両電源２の省電力化を効果的に実現することができる。一方で、戻り推定部３ｃにより、ユーザが車両へ戻ると推定されたとき、電源制御部３ｂは電源供給状態をＡＣＣ状態又はＩＧ状態に維持する。これにより、車両に戻ったユーザは、再度、電源供給状態を電源オフ状態から、ＡＣＣ状態又はＩＧ状態へ切り替える操作を行う必要がない。したがって、ユーザの利便性が確保される。すなわち、車両電源２を適切に制御することができる。
【００３８】
以上、本発明を実施するための最良の形態について一実施例を用いて説明したが、本発明はこうした一実施例に何等限定されるものではなく、本発明の要旨を逸脱しない範囲内において、上述した一実施例に種々の変形及び置換を加えることができる。
【００３９】
上記一実施例において、電源ＥＣＵ３の戻り推定部３ｃにより、ユーザが車両へ戻らないと推定されたとき、電源制御部３ｂは、降車判断部３ｂによりユーザの降車が判断された後、所定時間（例えば、５分〜１０分程度）Ｔ経過したとき、電源供給状態を電源オフ状態に制御してもよい。これにより、ユーザが車両へ戻らないと推定された場合でも、所定時間Ｔ、車両電源２の電源供給状態をＡＣＣ状態又はＩＧ状態に維持することができる。
【００４０】
なお、車両電源２には、車両電源２の蓄電量（残存容量ＳＯＨ）を検出するための蓄電量センサ（蓄電量検出手段）４が設けられていてもよい。蓄電量センサ４は、例えば、車両電源２の電流を検出する電流センサと、車両電源２の電圧を検出する電圧センサとから構成され、車両電源２の電圧及び電流を検出することで、車両電源２の蓄電量を検出する。
【００４１】
電源制御部３ｂは、蓄電量センサ４により検出された車両電源２の蓄電量に応じて、上記所定時間Ｔを可変させてもよい。これにより、車両電源２の蓄電量に応じて、最適な所定時間Ｔを設定することができる。
【００４２】
例えば、電源制御部３ｂは、蓄電量センサ４により検出された車両電源２の蓄電量が増加するに従って、所定時間Ｔを増加させてもよい。これにより、車両電源２がオフ状態になるまでの所定時間Ｔを、適切に確保できる。この為、例えばユーザは、急いで車両に戻る必要が無く、利便性が向上する。なお、車両電源２の蓄電量が増加するに従って、車両電源２は電力を車両機器１に供給する余裕が生じる為に上述のような設定が可能となる。
【００４３】
逆に、電源制御部３ｂは、蓄電量センサ４により検出された車両電源２の蓄電量が減少するに従って、所定時間Ｔを減少させてもよい。車両電源２の蓄電量が少ないときは、所定時間Ｔを短くすることで、車両電源２の省電力化を効果的に実現することができる。この場合、例えば、所謂バッテリ上がりを抑制することができる。
【００４４】
上記一実施例において、電源ＥＣＵ３の降車判断部３ａは、着座センサ６からの信号に基づいて、ユーザが降車したか否かを判断しているが、車両に配設される侵入センサ（例えば、赤外線センサ、レーダセンサ、超音波センサ、カメラ）等の車両の任意のセンサからの信号に基づいて、ユーザが降車したか否かを判断してもよい。
【００４５】
さらに、降車判断部３ａは、車両ドアの開閉を検出するドアセンサからの開閉信号、車両電源２の電圧、又は、車速センサからの車速、に基づいて、ユーザが降車したか否かを判断してもよい。例えば、降車判断部３ａは、車両電源２の電源供給状態がＡＣＣ状態であり、ドアセンサから閉信号を受信し、車速センサにより検出される車速が０（停止状態）であり、かつ、車両電源２の電圧が１１（Ｖ）以下であると判断したとき、ユーザが降車したと判断してもよい。
【００４６】
上記一実施例において、電源ＥＣＵ３の戻り推定部３ｃにより、ユーザが車両へ戻ると推定されたとき、電源制御部３ｂは電源供給状態をＩＧ状態からＡＣＣ状態に切り替えてもよい。
【００４７】
上記一実施例において、電源ＥＣＵ３の戻り推定部３ｃは、ナビゲーション装置８により検出された車両の現在位置が所定領域内にあると判断したとき、ユーザが車両に戻らないと推定しているが、時計装置により検出された現在時刻が所定時間帯にあると判断したとき、ユーザが車両に戻らないと推定してもよい。
【００４８】
所定時間帯として、例えば、ユーザが一度停車させた後、再度車両に戻る可能性の低い深夜時間帯（２３時〜３時）等が該当する。また、戻り推定部は、時計装置により検出された現在日時が所定日時にあると判断したとき、ユーザが車両に戻らないと推定してもよい。
【００４９】
上記一実施例において、電源ＥＣＵ３には、ユーザの所持する携帯機（車両キー）との間で、車載通信機を介して双方向通信を行い、ユーザの認証を行う照合ＥＣＵが接続されていてもよい。照合ＥＣＵは、例えば、携帯機から送信されるＩＤ信号に基づいて、ユーザが携帯機と共に降車したか否かを判断してもよい。このとき、照合ＥＣＵは、電源供給状態がＡＣＣ状態にあると判断したとき、警報を行うようにしてもよい。なお、電源ＥＣＵ３及び照合ＥＣＵは、一体が構成されていてもよい。
【００５０】
上記一実施例において、降車判断部３ａにより、全てのユーザが降車したと判断されたとき、電源制御部３ｂは車両電源２をオフ状態に制御し、乗車判断部により、ユーザが再度乗車したと判断されたときに、車両電源２をＡＣＣ状態又はＩＧ状態（オン状態）に制御してもよい。
【産業上の利用可能性】
【００５１】
本発明は、例えば、ユーザが車両から降車したときに、車両の電源状態を制御する車両用電源制御装置に利用できる。搭載される車両の外観、重量、サイズ、走行性能等は問わない。
【図面の簡単な説明】
【００５２】
【図１】本発明の一実施例に係る車両用電源制御装置のシステム構成の一例を示すブロック図である。
【図２】本発明の一実施例に係る車両電源制御装置の制御処理フローの一例を示すフローチャートである。
【符号の説明】
【００５３】
１    車両機器
２    車両電源
３    電源ＥＣＵ
３ａ  降車判断部
３ｂ  電源制御部
３ｃ  戻り推定部
４    蓄電量センサ
８    ナビゲーション装置
１０    車両用電源制御装置
【図１】
2008018791.tif 000003
【図２】
2008018791.tif 000004